(57)【要約】【課題】再生側から記録側へのダビング時にダビング処理を終了又は停止する場合に、記録側の記録メディアにユーザが意図しないＥＥ信号が記録されないようにする。【解決手段】複数の記録再生部間でダビング動作中に、ダビング動作が終了し又は停止された場合に、記録側に対して停止信号を送る。記録側は、ダビング動作中に停止信号を受信することにより、再生側からの再生信号が出力されなくなったことを認識し、入力信号Ｓ１を、記録信号スイッチ５ｂにおいてミュート（ＧＮＤ）選択する。同時に、出力信号スイッチ５ａは、入力信号Ｓ１を選択する。その結果、記録側からの出力信号Ｓ４が、ＥＥ信号に切り替わる。【選択図】  図４
2004234759.tif 000002
【特許請求の範囲】
【請求項１】
情報の記録と再生とが可能な複数の情報記録再生部を内蔵する記録再生複合機であって、
外部からのＥＥ信号を受け入れる外部入力端子と、
複数の前記記録再生部からそれぞれの出力を共通にする共通出力端子と、
複数の前記記録再生部からの出力のうちのいずれを前記共通出力端子から外部に出力するかを切り替える外部出力スイッチと、
複数の前記記録再生部間における記録再生処理及び前記外部出力スイッチにおけるスイッチング処理を制御する制御部であって、第１の情報記録再生部から該第１の情報記録再生部と異なる第２の情報記録再生部への情報のダビング期間中に、前記第１の情報記録再生部からの再生信号の停止を検知すると、前記外部入力端子から前記第２の情報記録再生部に記録される信号を、前記ＥＥ信号とは別の信号に切り替える制御を行う制御部と
を有する記録再生複合機。
【請求項２】
情報の記録と再生とが可能な複数の情報記録再生部を内蔵する記録再生複合機であって、
外部からのＥＥ信号を受け入れる外部入力端子と、
複数の前記記録再生部からのそれぞれの出力を共通にする共通出力端子と、
複数の前記記録再生部からの出力のうちのいずれを前記共通出力端子から外部に出力するかを切り替える外部出力スイッチと、
前記情報再生部に設けられ、前記外部入力端子を介して入力された外部信号を前記共通出力端子に向けて出力するか否かを選択する出力信号スイッチと、前記外部入力端子を介して入力された信号を記録信号として記録させるか別の信号を記録させるかを選択する記録信号スイッチと、
複数の前記記録再生部間における記録再生処理及び前記外部出力スイッチにおけるスイッチング処理を制御する制御部であって、第１の情報記録再生部から該第１の情報記録再生部と異なる第２の情報記録再生部への情報のダビング期間中に前記第１の情報記録再生部からの再生信号の停止を検知して、前記出力信号スイッチを外部信号側に切り替えるとともに、前記録画信号スイッチを別の信号側に切り替えるように制御を行う制御部と
を有する記録再生複合機。
【請求項３】
前記制御部は、第１の情報記録再生部から該第１の情報記録再生部と異なる第２の情報記録再生部への情報のダビング起動後に、予め、前記第２の情報記録再生部への出力を前記内部入力スイッチにより前記ＥＥ信号側から前記別の信号側に切り替えておくように制御を行うことを特徴とする請求項１又は２に記載の記録再生複合機。
【請求項４】
前記制御部は、少なくとも、前記第２の記録再生部における前記別の信号の記録が終了するまでの期間迄は、前記第２の情報記録再生部への出力を前記内部入力スイッチにより前記ＥＥ信号側から前記第１の情報記録再生部の再生信号側に切り替える制御を継続することを特徴とする請求項３に記載の記録再生複合機。
【請求項５】
前記別の信号は、前記外部入力端子からのミュート信号であることを特徴とする請求項１から４までのいずれか１項に記載の記録再生複合機。
【請求項６】
前記別の信号は、前記第１の情報記録再生部からの再生信号の続きであることを特徴とする請求項１から４までのいずれか１項に記載の記録再生複合機。
【請求項７】
さらに、メモリを備えており、
前記別の信号は、前記メモリに予め記憶されている信号であることを特徴とする請求項１から４までのいずれか１項に記載の記録再生複合機。
【発明の詳細な説明】
【０００１】
【発明の属する技術分野】
本発明は、映像信号や音声信号を、記録再生可能な複数の機器を内蔵する記録再生複合機に関する。
【０００２】
【従来の技術】
従来、記録再生機は、例えばテレビジョン（以下、「テレビ」と称する。）放送をＶＴＲ（Ｖｉｄｅｏ  ｔａｐｅ  ｒｅｃｏｒｄｅｒ）、ＶＣＲ（Ｖｉｄｅｏｃａｓｅｔｔｅ  ｒｅｃｏｒｄｅｒ）などに記録し、その後に記録されたテレビ放送の内容を再生する機能を有するものが多く開発されてきた。
【０００３】
最近、テレビ画面の高画質化と、デジタル情報記録技術の多様化・高度化に伴って、ＶＴＲ以外にＣＤやＤＶＤなどの異なる記憶媒体を用いた記録再生技術の開発も盛んになってきている。それに伴い、ＶＴＲとＤＶＤ（ＤＶＤ−ＶＩＤＥＯ、ＤＶＤ−Ｒ等）との２種類の異なるメディアを１つの機器により再生でき、かつ、上記ＤＶＤとＶＴＲとの間でＤＶＤの記録内容をＶＴＲにダビングできる、いわゆる複合機も開発されている。
【０００４】
例えば、同一装置内にディスク再生部と磁気記録再生部とを備え、１つのボタンを押すだけでディスク再生部による音声／映像の再生信号を磁気記録再生部で記録可能とするワンタッチダビング機能を備えた記録再生装置がある（例えば、特許文献１参照）。この装置では、ビデオＣＤを再生してその記録情報をビデオテープにダビングする場合に、キー操作部内に設けたダビング操作ボタンを押すことによって、内部制御部がビデオＣＤ再生部を再生状態にし、ＶＣＲ側を記録状態に自動的に切り替えてダビングを実行することができる。この際、実際に外部に出力される信号は、使用者が手動で選択する。ダビングを行う場合は、使用者の手動位相合わせを行っていた。
【０００５】
ところで、複合機にはＥＥ信号が入力しており、再生側装置からの再生信号が停止してから記録側装置が記録処理を停止するまでの間、記録側装置にはＥＥ信号が入力される。
【特許文献１】
特開平７−３１２０２０号公報
【０００６】
【発明が解決しようとする課題】
上述のように、ダビング操作を終了させると、再生側装置からの再生信号が停止してから記録側装置が記録処理を停止するまでの間、記録側装置にはＥＥ信号が入力されているが、ダビングされた記録メディアの情報を再生してみると、ダビング終了時から、突然にユーザの意図とは異なる記録が再生されていることがわかる。例えば、記録側装置がＤＶＤ−Ｒ／ＤＶＤ−ＲＷビデオフォーマットの場合、記録を停止するまでに最大で６０秒間の期間が必要となる場合がある。この間、再生側の機器は再生処理を停止しているため、ＤＶＤ−Ｒ（ＲＷ）は、入力されてくるＥＥ信号をそのまま録画することになり、ユーザの意図しない記録が再生される。
【０００７】
また、ダビング中に再生側機器がユーザの操作等によって停止された場合に、再生信号出力が停止されるが、記録側機器が再生側機器の再生信号出力の停止を認識するまでの間、上記フォーマットの関係上、記録側機器は録画を継続する必要がある。その結果、ダビングの最後の部分に、例えば数秒間程度、ＥＥ信号（外部信号）が録画されてしまい、上記の現象と同様の現象が発生することになる。
本発明は、ダビング動作における上記の問題点を解決し、ユーザが意図しない記録が残らないようにすることを目的とする。
【０００８】
【課題を解決するための手段】
本発明の一観点によれば、情報の記録と再生とが可能な複数の情報記録再生部を内蔵する記録再生複合機であって、外部からのＥＥ信号を受け入れる外部入力端子と、複数の前記記録再生部からそれぞれの出力を共通にする共通出力端子と、複数の前記記録再生部からの出力のうちのいずれを前記共通出力端子から外部に出力するかを切り替える外部出力スイッチと、複数の前記記録再生部間における記録再生処理及び前記外部出力スイッチにおけるスイッチング処理を制御する制御部であって、第１の情報記録再生部から該第１の情報記録再生部と異なる第２の情報記録再生部への情報のダビング期間中に、前記第１の情報記録再生部からの再生信号の停止を検知すると、前記外部入力端子から前記第２の情報記録再生部に記録される信号を、前記ＥＥ信号とは別の信号に切り替える制御を行う制御部とを有する記録再生複合機が提供される。
【０００９】
また、情報の記録と再生とが可能な複数の情報記録再生部を内蔵する記録再生複合機であって、外部からのＥＥ信号を受け入れる外部入力端子と、複数の前記記録再生部からのそれぞれの出力を共通にする共通出力端子と、複数の前記記録再生部からの出力のうちのいずれを前記共通出力端子から外部に出力するかを切り替える外部出力スイッチと、前記情報再生部に設けられ、前記外部入力端子を介して入力された外部信号を前記共通出力端子に向けて出力するか否かを選択する出力信号スイッチと、前記外部入力端子を介して入力された信号を記録信号として記録させるか別の信号を記録させるかを選択する記録信号スイッチと、複数の前記記録再生部間における記録再生処理及び前記外部出力スイッチにおけるスイッチング処理を制御する制御部であって、第１の情報記録再生部から該第１の情報記録再生部と異なる第２の情報記録再生部への情報のダビング期間中に前記第１の情報記録再生部からの再生信号の停止を検知して、前記出力信号スイッチを外部信号側に切り替えるとともに、前記録画信号スイッチを別の信号側に切り替えるように制御を行う制御部とを有する記録再生複合機が提供される。
【００１０】
上記記録再生複合機によれば、ダビング期間中に再生信号の停止を検知すると、外部から記録側前記外部入力端子に記録される信号を、前記ＥＥ信号とは別の信号に切り替え、入力されてくるＥＥ信号をそのまま録画することによる、ユーザの意図しない記録の再生を防止することができる。
【００１１】
前記制御部は、第１の情報記録再生部から該第１の情報記録再生部と異なる第２の情報記録再生部への情報のダビング起動後に、予め、前記第２の情報記録再生部への出力を前記内部入力スイッチにより前記ＥＥ信号側から前記別の信号側に切り替えておくように制御を行うのが好ましい。
記録再生部の停止時期を予測することは難しいため、上記のようにダビング起動時から用意しておけば、記録再生部がいつ停止されても対応ができる。
【００１２】
また、前記制御部は、少なくとも、前記第２の記録再生部における前記別の信号の記録が終了するまでの期間迄は、前記第２の情報記録再生部への出力を前記内部入力スイッチにより前記ＥＥ信号側から前記第１の情報記録再生部の再生信号側に切り替える制御を継続することもできる。このようにすれば、前記第２の情報再生記録部内の記録メディアにＥＥ信号を記録させずにすむ。
【００１３】
前記別の信号は、前記第１の情報記録再生部からの再生信号の続きであっても良い。例えば、前記再生信号の停止が実際には再生の終了であれば、記録メディアにＥＥ信号を記録する代わりに再生信号の続きを記録メディアに記録させることができる。
【００１４】
さらに、メモリを備えており、前記別の信号は、前記メモリに予め記憶されている信号であることが好ましい。このようにすれば、停止時の記録を、メモリ内に格納された所定の記録にすることもできる。
【００１５】
【発明の実施の形態】
以下に、本発明の実施の形態による記録再生複合機について図面を参照して説明する。図１は、本発明の実施の形態による記録再生複合機の正面図である。図１に示すように、本実施の形態による記録再生複合機Ａは、種々の機能を内蔵する箱体１と、ＶＴＲ記録再生部３と、ＤＶＤ−Ｒ／ＲＷ記録再生部５と、各種スイッチ部７と、ＶＴＲ側表示パネル／ＬＥＤ１１ａと、ＤＶＤ−Ｒ／ＲＷ側表示パネル／ＬＥＤ１１ｂと、リモコン受光部１２と、を有している。さらに、図２に示すように、記録再生複合機Ａとは別に、リモートコントロール装置１５を別途備えているのが一般的である。
【００１６】
図２（Ａ）、（Ｂ）に示すリモートコントロールスイッチ１５は、ＶＴＲとＤＶＤとのリモコン切り替えスイッチ１５ａと、ＴＶチャネル選局スイッチ部１５ｂと、ダビング方向キー１５ｃ（ビデオ→ＤＶＤ１５ｃ−１、ＤＶＤ→ビデオ１５ｃ−２）と、ダビング開始キー１５ｄと、を有している。リモートコントロール装置１５のみでも、ＶＴＲ記録再生部３と、ＤＶＤ−Ｒ／ＲＷ記録再生部５との記録再生操作が可能である。
【００１７】
尚、記録再生複合機は、ＶＴＲ部とＤＶＤ−ＲＷ部とを記録再生部として備えた機器を例として説明するが、その他の組み合わせを備えている機器も本実施の形態による記録再生複合機に含まれる。もちろん、記録又は再生のみが可能な機能（例えば、ＣＤ−ＲＯＭ、ＤＶＤ−ＲＯＭなど）を含んでいても良い。また、記録再生複合機は、一般的な表示部、例えばＣＲＴや液晶画面などによる表示部（ディスプレイ）と一体化されていても良い。
【００１８】
図３は、本実施の形態による記録再生複合機の主要構成例を示す機能ブロック図である。図３に示すように、本実施の形態による記録再生複合機は、箱体１と、ＶＴＲ記録再生部３と、ＤＶＤ−Ｒ／ＲＷ記録再生部５と、ＶＴＲ側表示パネル／ＬＥＤ１１ａと、ＤＶＤ−Ｒ／ＲＷ側表示パネル／ＬＥＤ１１ｂと、Ｒ／Ｃ受光部１２と、外部入力インターフェイス部３１であって、ＴＶ放送などに関する選局を行い内部に取り入れるためのチューナ部３１ａと、他の機器からの信号を内部に入力するための外部入力部３１ｂと、ミュート信号を内部に入力するためのミュート信号入力部３１ｃとを有する外部入力インターフェイス部３１と、内部入力スイッチ３３と、外部出力スイッチ３５と、出力端子３７と、制御部４１と、を含んで構成されている。実際には、後述のように、各種構成要素間に信号線路が設けられている。さらに、記録再生複合機と別体又は一体に出力再生部４５が設けられている。出力再生部４５は、一般に、映像を表示する表示部４５ａと、音声を出力するスピーカ部４５ｂとを含んで構成されている。
【００１９】
図４は、本実施の形態による記録再生部の構成例を示す機能ブロック図である。図４に示すように、本実施の形態による記録再生複合機の記録再生部５は、内部入力スイッチ３３からの第１の信号Ｓ１を入力する第１の信号線路Ｌ１と、第１の信号線路Ｌ１から分岐し、上記第１の信号Ｓ１を出力信号側と記録信号側とにそれぞれ振り分ける第２の信号線路Ｌ２及び第３の信号線路Ｌ３と、第２の信号線路Ｌ２からの信号を出力するか黒画面（接地ＧＮＤ）にするかを選択する出力信号スイッチ５ａと、第３の信号線路Ｌ３からの信号を記録するか黒画面（接地ＧＮＤ）するかを選択する記録信号スイッチ５ｂと、出力信号スイッチ５ａからの信号を外部出力信号スイッチ３５に出力する第４の信号線路Ｌ４と、を有している。尚、Ｌで示される信号線路は、実際には信号のパスを表すものであり、有線、無線を問わない。
【００２０】
上記記録再生複合機の動作について説明する。通常、外部のテレビジョン放送の内容を記録する場合には、ユーザは、まず使用する記録メディアを選択する。ＶＴＲテープに放送内容を記録する場合には、ＶＴＲ記録再生部３を用いる。ＤＶＤ−Ｒメディア又はＤＶＤ−ＲＷメディアに放送内容を記録する場合には、ＤＶＤ−Ｒ／ＲＷ記録再生部５を用いる。ＴＶの放送内容のいずれを入力するかは、外部入力インターフェイス部３１に設けられているチューナ部３１ａにより選局される。外部機器からの出力を記録する場合には、外部入力部３１ｂにより外部入力（ＡＵＸ）を選択する。ミュート信号入力部３１ｃによりミュート信号（ＧＮＤ）が選択される。内蔵されたＶＴＲ記録再生部３とＤＶＤ−Ｒ／ＲＷ記録再生部５とのいずれにこれらの入力信号を出力するかを上記内部入力スイッチ３３により切り替える。内部入力スイッチ３３により切り替えられた外部からの入力信号は、ＶＴＲ記録再生部３又はＤＶＤ−Ｒ／ＲＷ記録再生部５に送られる。
【００２１】
ＶＴＲテープに記録された情報内容を再生する場合には、ＶＴＲ記録再生部３を利用し、ＤＶＤ−Ｒメディア又はＤＶＤ−ＲＷメディアに記憶された情報内容を再生する場合には、ＤＶＤ−Ｒ／ＲＷ記録再生部５を利用する。再生された信号は、出力端子３７を介して出力再生部４５に送られ、出力再生部４５に対して出力される。映像は表示装置４５ａにより、音声はスピーカ４５ｂにより再生される。
【００２２】
ＶＴＲテープに記録された情報内容をＤＶＤ−Ｒメディア又はＤＶＤ−ＲＷメディアにダビングする場合には、まず、ＤＶＤ−Ｒメディア又はＤＶＤ−ＲＷメディアの内容を確認し、ダビングしても良いか否かを確認する。ＤＶＤ−Ｒメディア又はＤＶＤ−ＲＷメディアを確認した後に、ユーザは例えばリモコン装置に設けられたダビング方向キーＶＴＲ→ＤＶＤ（１５ｃ−１）を押した後、ダビング開始キー１５ｄを押すことによりダビング起動させる。ダビング方向キーＶＴＲ→ＤＶＤ（１５ｃ−１）を押した後、ダビング開始キー１５ｄが押されたことを、Ｒ／Ｃ受光部１２を介して制御部４１が検出するとダビング動作が開始される（Ｌ１１）。その後、制御部４１は、現在ダビング中であることを知らせる信号をＤＶＤ−Ｒ／ＲＷ記録再生部５に出力し続ける（Ｌ１２）。ダビング動作中に、ダビング動作が終了し又は停止された場合に、ＤＶＤ−Ｒ／ＲＷ記録再生部５に対して停止信号を送る（Ｌ１２）。
【００２３】
図４に示すように、ＤＶＤ−Ｒ／ＲＷ記録再生部５は、ダビング動作中に停止信号を受信することにより、ＶＴＲ記録再生部３からの再生信号が出力されなくなったことを認識し、内部入力スイッチ３３からの入力信号Ｓ１を、記録信号スイッチ５ｂにおいてミュート（ＧＮＤ）側に切り替える。同時に、出力信号スイッチ５ａは、信号線路Ｌ１、信号線路Ｌ２を介して入力信号Ｓ１を出力信号（Ｓ２）として選択する。その結果、ＤＶＤ−Ｒ／ＲＷ記録再生部５に記録される記録信号はミュートされるため、ダビングされた記録メディアにＥＥ信号が記録されることはない。これに対して、ＤＶＤ−Ｒ／ＲＷ記録再生部５からの出力信号Ｓ２（Ｌ４）は、ＥＥ信号に切り替わる。すなわち、図３に示すように、表示部４５ａには、ミュート信号ではなくＥＥ信号（一般的にはチューナ信号）が、外部出力スイッチ３５、信号線路Ｌ１４、及び信号線路Ｌ１５を通り出力再生部４５に出力される。
【００２４】
図５は、ＤＶＤ−Ｒ（Ｗ）に記録される情報を時系列的に示した図である。図５（Ａ）は、従来の方法による記録情報を、図５（Ｂ）は本実施の形態による記録再生複合機の記録情報を示す図である。図５（Ａ）に示すように、ＶＴＲ記録再生部３からの再生信号がＤＶＤ−Ｒ／ＲＷ記録再生部５内の記録メディアに記録されている。ユーザが、例えば、図２に示すリモートコントロールスイッチによりダビングを終了させるためのボタンを押すと、ＶＴＲ記録再生部３からの再生信号の出力は停止されるが、ＤＶＤ−Ｒの記録は、例えば最大で１分間ほど継続される。この１分間、継続される記録中は、ＥＥ信号（チューナ信号）が記録される。このＥＥ信号は、ダビングされている情報とは関係のない情報であり、ダビングが不調であったのか、或いはダビングが正常に終了したのかをユーザは理解できない。
【００２５】
これに対して、図５（Ｂ）に示すように、本実施の形態による記録再生複合機によれば、ユーザが、例えば、リモートコントロールスイッチによりダビングを終了させるボタン（図２のダビング開始キー１５ｄにより兼用されている）を押すと、ＶＴＲ記録再生部３からの再生信号の記録が停止し、例えば最大で１分間ほど黒画面を表示させる情報（ミュート情報）がＤＶＤ−Ｒに記録される。ＤＶＤ−Ｒを再生する場合に、黒画面が再生信号の停止を意味することが予めユーザに知らせておけば（マニュアルなどにより）、ＤＶＤ−Ｒの再生の最終段階においてこの黒画面が表示されることにより、ユーザは、記録情報の再生が終了したことを認識することが容易になる。
【００２６】
一方、ダビング終了時に出力部４５ａには、黒画面ではなく、外部入力、或いは、チューナ信号に基づく表示がなされるため、ユーザは表示部４５ａを見ていても違和感がない。
【００２７】
次に、本実施の形態による記録再生複合機の変形例について図４及び図５（Ｃ）を参照して説明する。図４に示すように、記録（録画）信号スイッチ５ｂを用いると、記録信号とミュート信号との選択の代わりに又はそれに加えて、別途設けられ情報を格納したメモリ５ｃからの信号Ｓ３を選択することもできる。メモリ５ｃ内には、例えば、ダビングされた記録情報の終了を印象付けるような出力を行うための情報が格納されており、記録メディアの再生時にはこの情報が出力される。ダビングされた記録情報の終了を印象付けるような情報とは、終了を告げる画面（エンドなど）又はお決まりの画面や音声などが好ましいがこれらに限定されるものではない。或いは、ユーザがダビング終了スイッチを押しても、ＤＶＤ−Ｒによる記録が終了するまでの一定期間だけ、又はＤＶＤ−Ｒの記録が終了するまでＶＴＲ再生を継続するようにしても良い。また、ＶＴＲのテープ再生が終了すると、ミュート信号が記録される。
この場合にも、ダビング終了時に表示部４５ａには、外部信号に基づく表示されるようにすることができる。
【００２８】
次に、本発明の第２の実施の形態による記録再生複合機について図面を参照して説明する。記録再生複合機に関する基本的構成を示す図１から図３までについては、本発明の第１の実施の形態による記録再生複合機と同様であり、これらの図面を参照するとともに、併せて図６を参照して本実施の形態により記録再生複合機について説明する。
【００２９】
図６は、図３に示す内部入力スイッチ３３の構成例を示す機能ブロック図である。図６に示すように、内部入力スイッチ３３は、再生側機器（ＶＴＲ記録再生部３）からの信号（ＰＢ信号）を入力するための第１の信号線路Ｌ２１と、記録側機器へ信号を出力するための第２の信号線路Ｌ１と、ＥＥ系信号を入力する第３の信号線路Ｌ１７と、接地ＧＮＤへ接続するための第４の信号線路Ｌ２７と、記録側又は再生側機器と、ＥＥ系信号又は接地ＧＮＤとを接続する第５の信号線路Ｌ２３とを有している。内部入力スイッチ３３は、第１の信号線路Ｌ２１と第２の信号線路Ｌ１とを有する第１のスイッチ部３３ａと、第３の信号線路Ｌ１７と第４の信号線路Ｌ２７とを有する第２のスイッチ部３３ｂとを有している。第５の信号線路Ｌ２３は、第１のスイッチ部３３ａと第２のスイッチ部３３ｂとを結ぶ信号線路であり、図３のＬ１、及び、Ｌ２１に接続される。
【００３０】
内部入力スイッチ３３において、ＥＥ／再生スイッチ部３３ａは、記録側装置への出力信号を再生側装置からの出力信号にするか、或いは、ＥＥ系信号にするかの選択を行う。ＥＥ系スイッチ部３３ｂは、第１のスイッチ部３３ａへの出力をＥＥ系信号にするか、ミュート信号（接地ＧＮＤ）にするかの選択を行う。
【００３１】
尚、本実施の形態においても、図３に示すように、本実施の形態による再生記録複合機においては、外部入力インターフェイス部３１に、ＴＶ放送などに関する選局を行い内部に取り入れるためのチューナ部３１ａ及び他の機器からの信号を内部に入力するための外部入力部３１ｂに加えて、ミュート信号を内部に入力するためのミュート信号入力部３１ｃが設けられている。
【００３２】
上記再生記録複合機の動作について説明する。ダビング前は、ＥＥ／再生スイッチ部３３ａが第５の信号線路Ｌ２３側に接続されており、ＥＥ系スイッチ部３３ｂが第３の信号線路Ｌ１７側に接続されている。従って、ダビング開始前は、第３の信号線路Ｌ１７と第２の信号線路Ｌ１とを介して、記録部側にＥＥ信号が出力されている。
【００３３】
ダビング処理、例えば、ＶＴＲ記録再生部３から再生された信号をＤＶＤ−Ｒ／ＲＷ記録再生部５に記録する場合に、ダビング開始キー１５ｄ（図２）が押されると、制御部４１は、記録側のＤＶＤ−Ｒ／ＲＷ記録再生部５に対してダビング処理を開始する旨を知らせる。ＥＥ／再生スイッチ３３ａの再生機器（ＶＴＲ記録再生部３）からの再生信号が第１の信号線路Ｌ２１を通り、内部入力スイッチ３３に入力し、ダビング記録処理が開始される。この際、ＥＥ系スイッチ３３ｂをＥＥ系信号側（第３の信号線路Ｌ１７側）から接地ＧＮＤ側（第４の信号線路Ｌ２７側）、すなわちミュート側３１ｃ（図３）に切り替えておく。
【００３４】
ダビング処理が終了又は停止されると、第１の実施の形態による技術と同様に、ＥＥ／再生スイッチ３３ａはＥＥ系ＳＷ（３３ｂ）からの信号を受け入れる側（第１の信号線路Ｌ２３）に切り替わる。この際、既にＥＥ系スイッチ３３ｂは既にＥＥ系信号側からミュート側に切り替えられているため、記録側のＤＶＤ−Ｒ／ＲＷ記録再生部５が録画処理を停止するまでの間に記録メディアにダビング処理とは関係のないＥＥ信号が記録されることがなくなる。
【００３５】
その数秒後（記録側機器が停止するまでの期間の後）に、ＥＥ系スイッチ３３ｂを再びＥＥ系信号側（第３の信号線路Ｌ１７側）に切り替えるとともに、この信号線路からチューナ部３１ａ（図３）により選択されたＴＶ画面が表示部に表示されるようにしても良い。このようにすれば、記録メディアにはミュート信号が記録されるが、表示部にはチューナ部により選局されたＴＶ信号が表示されるため、ＴＶの視聴をスムーズに行うことができる。図６に示すように、メモリ５ｄからの信号に基づく表示を行っても良い。
【００３６】
制御部４１は、少なくとも、ＤＶＤ−Ｒ（ＲＷ）記録再生部５におけるミュート信号（別の信号）の記録が開始されるまでは、ＤＶＤ−Ｒ（ＲＷ）記録再生部５への出力を内部入力スイッチ３３ｂにより、ＧＮＤ（Ｌ２７）に切り替える制御を継続する。その後は（例えば３秒後には）、出力部４５ａにはチューナ信号に基づく表示がされるようにすることができるため、ユーザは、表示部４５ａにおけるミュート画面を見る時間が短期間で済む。この際のミュート画面を、別途用意したメモリ内の格納される所望の情報を出力部４５ａに再生させても良い。
【００３７】
尚、第１の実施の形態と同様に、ミュート信号に代えて別途用意されたメモリ内に記憶されている情報を記録メディアに例えば終了画面を記録することもできる。テープエンド後にもこのメモリからの信号を用いることも可能である。
【００３８】
また、別の信号に切り替えるタイミングは、ダビング起動後であれば停止までは可能であるが、停止がいつ起こるかは不明であるため、ダビング起動と同時に切り替えるのが安全である。
【００３９】
また、ユーザは、このような操作が行われたことを知らない場合もあるが、例えば黒画面が表示された場合にそれを故障であると判断しないように、例えば、ＶＴＲ側表示パネル／ＬＥＤ１１ａ又はＤＶＤ−Ｒ／ＲＷ側表示パネル／ＬＥＤ１１ｂに、ミュート画面を表示中である旨を報知するための表示を行っておくこともできる。
【００４０】
以上、本実施の形態に沿って説明したが、本発明はこれらの例に限定されるものではなく、種々の変形が可能であるのは言うまでもない。媒体としては、ＣＤ−Ｒ（Ｗ）、ＤＶＤ−Ｒ／ＲＷ、ＤＶＤ−ＲＡＭ、ＭＤ、不揮発性メモリカード、ハードディスク（カード）などの種々の記録再生可能な情報記録媒体に適用可能である。媒体の種類などにより仕様が変更されたとしても、本発明の技術思想の範囲内において本発明の思想が適用可能であることは言うまでもない。
【００４１】
【発明の効果】
本発明による記録再生複合機によれば、再生側から記録側へのダビング時にダビング処理を終了又は停止する場合に、記録側の記録メディアにユーザが意図しないＥＥ信号が記録されないようにすることができるという利点がある。
【図面の簡単な説明】
【図１】本発明の実施の形態による記録再生複合機の正面図である。
【図２】本発明の実施の形態による記録再生複合機を制御するリモートコントロール装置の正面図である。
【図３】本発明の実施の形態による記録再生複合機の構成例を示す機能ブロック図である。
【図４】本発明の実施の形態による記録再生複合機のうち記録側の構成例を示す図である。
【図５】記録再生複合機の記録側に記録される情報内容を時系列的に示す図であり、図５（Ａ）は、従来の装置の場合を示す図であり、図５（Ｂ）は本発明の第１の実施の形態による記録再生複合機の記録側に記録される情報内容を時系列的に示す図であり、図５（Ｃ）は本実施の形態の変形例による記録再生複合機の記録側に記録される情報内容を時系列的に示す図である。
【図６】本発明の第２の実施の形態による記録再生複合機のうち内部入力スイッチの構成例を示す図である。
【符号の説明】
Ａ…記録再生複合機、１…箱体、３…ＶＴＲ記録再生部、５…ＤＶＤ−Ｒ／ＲＷ記録再生部、５ａ…出力信号スイッチ、５ｂ…記録信号スイッチ、５ｃ…メモリ、７…各種スイッチ部、１１ａ…ＶＴＲ側表示パネル／ＬＥＤ、１１ｂ…ＤＶＤ−Ｒ／ＲＷ側表示パネル／ＬＥＤ、１２…リモコン受光部、１５…リモートコントロール装置、１５ｃ…ダビング方向キー、１５ｄ…ダビング開始キー、３１…外部入力インターフェイス部、３１ａ…チューナ入力部、３１ｂ…外部入力部、３１ｃ…ミュート信号入力部、３３…内部入力スイッチ、３３ａ…ＥＥ／再生スイッチ、３３ｂ…ＥＥ系スイッチ、３５…外部出力スイッチ、３７…出力端子、４１…制御部、４５…出力再生部（表示装置）。
【図１】
2004234759.tif 000003
【図２】
2004234759.tif 000004
【図３】
2004234759.tif 000005
【図４】
2004234759.tif 000006
【図５】
2004234759.tif 000007
【図６】
2004234759.tif 000008